(57)【要約】【課題】小形で部品点数が少なく、容易な手作業で迅速に取り付けできる２連クランプを提供する。【解決手段】第１および第２のリング部材１，２が径方向に並べられ、各リング部材１，２は、Ｃ字状の本体１ａ，２ａの開口端に周方向に対向する第１および第２締付け片１ｂ，１ｃ、２ｂ，２ｃを有している。第１のリング部材１の第１および第２締付け片１ｂ，１ｃが第２のリング部材１２の第２および第１締付け片２ｃ，２ｂのそれぞれに重合され、すべての締付け片１ｂ，１ｃ、２ｂ，２ｃに挿通したボルト３とナット８により、本体１ａ，２ａが縮径される方向に締結力が付加される。【選択図】　　　図１
2004108415.tif 000002
【特許請求の範囲】
【請求項１】
第１および第２のリング部材が径方向に並べられ、
前記各リング部材は、Ｃ字状の本体の開口端に周方向に対向する第１および第２締付け片を有しており、
前記第１のリング部材の第１および第２締付け片が前記第２のリング部材の第２および第１締付け片のそれぞれに重合され、前記すべての締付け片に挿通したボルトとナットにより、前記本体が縮径される方向に締結力が付加される２連クランプ。
【請求項２】
請求項１において、前記第１のリング部材の第１締付け片の周方向内側に第２のリング部材の第２締付け片が重合され、第１のリング部材の第２締付け片の周方向外側に前記第２のリング部材の第１締付け片が重合され、第２のリング部材の第１締付け片の周方向外面に前記ナットが固着されている２連クランプ。
【請求項３】
請求項１または２において、前記各リング部材の本体の内周面における第２締付け片の近傍に、前記本体の内周面における第１締付け片の近傍に接触して前記本体を保形するガイド片が固定されている２連クランプ。
【発明の詳細な説明】
【０００１】
【発明の属する技術分野】
本発明は、並設された一対の円筒状の第１部材に対して管やホースのような第２部材を連結する２連クランプに関するものである。
【０００２】
【従来の技術】
従来、例えば、ダクトのような一対の円筒状の第１部材にチューブやホースのような第２部材を嵌め込んで外側から固定するクランプとして、図６に示すものが知られている。このクランプは、Ｃ字状の本体３１の開口端に周方向に対向する一対の締付け片３２を有するリング部材３０を２つ用いて、この各リング部材３０を、前記第１部材と第２部材の重合した連結部の外周面にそれぞれ嵌め合わせ、かつ両リング部材３０における相対向する締付け片３２間に、中空軸体からなるカラー３３を介在させた状態で、長尺状のボルト３４を、一方（図の左方）のリング部材３０側からすべての締付け片３２の挿通孔３８およびカラー３３内に挿通させて、他方（図の右方）のリング部材３０の溶接ナット３７にねじ込んで締め付けるようになっている。
【０００３】
２つのリング部材３０の各本体３１は、ボルト３４の締結力を受けて縮径されながら前記連結部の外周面を締め付けて、両部材を連結状態に把持する。ボルト３４を締め付ける際には、カラー３３が２つのリング部材３０を一定間隔に保持する。
【０００４】
【発明が解決しようとする課題】
しかしながら、前記クランプは、一対のリング部材３０、カラー３３およびボルト３４を必要として、部品点数が４点と比較的多い。しかも、長いカラー３３と長いボルト３４が必要なために、全体として大形化する。また、クランプの組立てにあたり、ボルト３４を一方のリング部材３０の挿通孔３８に挿通し、長いカラー３３に挿通し、さらに、他方のリング部材３０の挿通孔３８に挿通する必要があるので、組立作業が面倒である。
【０００５】
本発明は、前記従来の課題に鑑みてなされたもので、小形で部品点数が少なく、容易な手作業で迅速に取り付けできる２連クランプを提供することを目的とするものである。
【０００６】
【課題を解決するための手段】
上記目的を達成するために、本発明に係る２連クランプは、第１および第２のリング部材が径方向に並べられ、前記各リング部材は、Ｃ字状の本体の開口端に周方向に対向する第１および第２締付け片を有しており、前記第１のリング部材の第１および第２締付け片が前記第２のリング部材の第２および第１締付け片のそれぞれに重合され、前記すべての締付け片に挿通したボルトとナットにより、前記本体が縮径される方向に締結力が付加される。
【０００７】
この２連クランプでは、同一形状に形成できる第１および第２のリング部材のうちの一方のリング部材に従来と同様にナットを予め溶着することが可能であるから、部品点数を、一対のリング部材とボルトとの３点に削減できる。また、一対のリング部材は、各々の第１および第２締付け片を重合して、この各締付け片にボルトを挿通してナットにねじ込むので、従来クランプのような長いカラーおよびボルトを必要としないから、２連クランプが小形になる。しかも、２つのリング部材がこれらの本体に挟まれた空間でボルトとナットにより連結されるので、両リング部材の並置方向と直交する前後方向に突出する部材が存在しない。この点でも、全体形状が小形化されて、小さな取付スペースに設置できる利点がある。さらに、従来のカラーが不要になり、比較的短いボルトを２つのリング部材の締付け片に挿通するだけでよいから、クランプの組立作業が容易になる。
【０００８】
本発明の好ましい実施形態では、前記第１のリング部材の第１締付け片の周方向内側に第２のリング部材の第２締付け片が重合され、第１のリング部材の第２締付け片の周方向外側に前記第２のリング部材の第１締付け片が重合され、第２のリング部材における第１締付け片の周方向外面に前記ナットが固着されている。この構成によれば、第１および第２のリング部材の各々の一対の締付け片が互い違いに重合されているので、両リング部材を同一形状および寸法に形成できる。したがって、単一種類のリング部材を２つ用い、第２のリング部材にナットを固着することにより、両リング部材が得られるので、生産性が高い。
【０００９】
本発明の他の好ましい実施形態では、前記各リング部材の本体の内周面における第２締付け片の近傍に、前記本体の内周面における第１締付け片の近傍に接触して前記本体を保形するガイド片が固定されている。この構成によれば、リング部材は、ボルトの締付けにより、本体がガイド片に沿って変形しながら縮径されるので、Ｃ字状の本体の開口部近傍に歪な変形が発生するのが防止される。
【００１０】
【発明の実施の形態】
以下、本発明の好ましい実施形態について図面を参照しながら説明する。
図１（ａ），（ｂ）は本発明の一実施形態に係る２連クランプを示すクランプ状態の正面図および底面図である。この２連クランプは、径方向に並べられた第１および第２のリング部材１，２と、この両リング部材１，２に対し縮径させる締結力を付加するボルト３との３つの部材からなり、従来のクランプ（図６）に比較して、部品点数が１つ低減されている。
【００１１】
前記両リング部材１，２は、Ｃ字状の本体１ａ，２ａと、この本体１ａ，２ａの開口両端から突出して本体１ａ，２ａの周方向に対向する第１および第２締付け片１ｂ，１ｃ、２ｂ，２ｃとを有しており、同一形状および同一寸法である。すなわち、両リング部材１，２は、これの展開図である図２に示すように、長手方向の両端部に挿通孔４，７が形成されたばね鋼のような金属製の帯材を、円形状に湾曲させるように曲げ加工し、かつ両端部の挿通孔４，７の手前側を折曲して第１および第２締付け片１ｂ，１ｃ、２ｂ，２ｃを設けるだけで形成できる。なお、第１締付け片１ｂ，２ｂとなる一端部（図の右端部）は幅広の形状になっている。この同一形状および同一寸法の一対のリング部材１，２のうちの第２のリング部材２には、その第１締付け片２ｂの周方向外面に、挿通孔４に合致させた配置で、図１（ｂ）のナット８が溶接されている。
【００１２】
図３は使用前の第１および第２のリング部材１，２を示す平面図である。前記第１および第２のリング部材１，２は、第１のリング部材１の第１締付け片１ｂの周方向内側に第２のリング部材２の第２締付け片２ｃが重合され、第１のリング部材１の第２締付け片１ｃの周方向外側に第２のリング部材２の第１締付け片２ｂが重合された配置で、相互に組み合わされている。つまり、第１および第２のリング部材１，２の各締付け片１ｂ，１ｃ，２ｂ，２ｃが互い違いに重合されている。したがって、第１および第２のリング部材１，２は、同一形状および同一寸法でありながら、円滑に結合できる。
【００１３】
各リング部材１，２の本体１ａ，２ａの内周面における第２締付け片１ｃ，２ｃの近傍箇所には、クランプ時に本体１ａ，２ａの内周面における第１締付け片１ｂ，２ｂの近傍に接触して本体１ａ，２ｂを保形するガイド片９，１０が、溶着部１１，１２での溶接によって固定されている。本体１ａ，１ｂにおける開口部２３，２４に対し、その両側部分は、ガイド片９，１０の厚み分だけ外方に膨出されて、拡径部２７，２８となっており、この拡径部２７，２８の内径側が、ガイド片９，１０の逃げになっている。したがって、ガイド片９，１０を含む本体１ａ，２ａの内周面は、締め付けられた図１（ｂ）の状態で、ほぼ正確な円形となる。
【００１４】
使用前において、第１リング部材１の第１締付け片１ｂと第２のリング部材２の第２締付け片２ｃとは、各々の挿通孔４，７が合致する相対配置に位置決めして重合され、第１のリング部材１の第２締付け片１ｃと第２リング部材２の第１締付け片２ｂとは、図３に示すように、各々の挿通孔７，４が合致する相対配置に位置決めして重合されている。
【００１５】
つぎに、前記２連クランプによりクランプ作業を行う手順について説明する。図３に示すように、両リング部材１，２の締付け片１ｂ，２ｃ、１ｃ，２ｂ同士を重ね合わせ、ボルト３を、挿通孔４，７に挿通させて、ナット８にゆるくねじ込む。この状態では、第１および第２のリング部材１，２はまだ拡開している。これら第１および第２のリング部材１，２を、連結すべき第１および第２の部材の一方、例えば、図４に示すエンジン吸気室のエアクリーナ１７におけるゴム製の出口ダクト２１に仮止めしておく。
【００１６】
つぎに、第２の部材であるチューブ２２を出口ダクト２１の内側に嵌め込み、２連クランプのボルト３を強くねじ込む。これにより、図３のリング部材１，２の本体１ａ，２ａは、縮径されて図４の出口ダクト２１にチューブ２２を密着させた状態で把持する。エアクリーナ１７は、入口１８から入った空気Ａを、内蔵したクリーナエレメント１９によって浄化したのち、出口ダクト２１からチューブ２２を通って、燃料供給装置であるスロットルボディ（図示せず）に流入させる。クリーナケース１７の出口ダクト２１は、図５に示すように、４つ設けられており、したがって、２つの２連クランプにより、出口ダクト２１とチューブ２２を連結する。
【００１７】
この２連クランプは、前述のとおり、部品点数が少ないうえに、従来のような長いカラーや長いボルトを必要とせず、図３に示す比較的短いボルト３を用いることができるので、２連クランプが小形になる。
【００１８】
また、リング部材１，２は、ボルト３の締結力が付加されたときに、本体１ａ，２ａがガイド片９，１０に沿って変形しながら縮径されるので、Ｃ字形本体１ａ，２ａの開口部２３，２４の近傍に歪な変形が発生するのを防止して、出口ダクト２１とチューブ２２を強固に把持することができる。しかも、ガイド片９，１０は本体１ａ，２ａにおける開口部２３，２４の近傍を補強するようにも機能する。さらに、従来の長いカラーが不要になり、比較的短いボルト３を２つのリング部材１，２の締付け片１ｂ，１ｃ、２ｂ，２ｃに挿通するだけでよいから、クランプの組立作業が容易になる。
【００１９】
前記２連クランプでは、一対のリング部材１，２の各々の第１および第２締付け片１ｂ，１ｃ、２ｂ，２ｃを重合して、この各締付け片１ｂ，１ｃ、２ｂ，２ｃにボルト３を挿通してナット８にねじ込むので、図１（ｂ）と図６との比較から明らかなように、図１（ｂ）の２つのリング部材１，２が、これらの本体１ａ，２ａに挟まれた空間でボルト３とナット８により連結されて、両リング部材１，２の並置方向と直交する前後方向に突出する部材が存在しない。この点でも、全体形状が小形化されて、小さな取付スペースに設置できる利点がある。
【００２０】
なお、前記実施形態では、本発明の２連クランプにより、自動二輪車用クリーナケース１７における出口ダクト２１とチューブ２２とを連結する場合を例示したが、本発明の２連クランプは、上述の用途に限らず、円筒状の第１部材と第２部材ちを連結する構造に広く使用できる。
【００２１】
【発明の効果】
以上のように、本発明の２連クランプによれば、部品点数を削減できるとともに、長いボルトおよびカラーが不要となって小形化される。また、２つのリング部材がこれらの本体に挟まれた空間でボルトとナットにより連結されるから、両リング部材の並置方向と直交する前後方向に突出する部材が存在せず、この面からも、全体形状が小形化して小さな取付スペースに設置できる。さらに、一対のリング部材は、従来クランプのような長いカラーを介在せずに、互いに重合した各締付け片に比較的短いボルトを使用して締め付けるので、連結作業を容易かつ迅速に行うことができる。
【図面の簡単な説明】
【図１】（ａ），（ｂ）は本発明の一実施形態に係る２連クランプを示すクランプ状態の正面図および底面図である。
【図２】同上の２連クランプにおけるリング部材の展開図である。
【図３】使用前の両リング部材１，２を示す平面図である。
【図４】同上の２連クランプを用いた自動二輪車用クリーナケースを示す一部破断した側面図である。
【図５】同上のクリーナケースを示す底面図である。
【図６】従来のクランプを示す平面図である。
【符号の説明】
１…第１のリング部材
１ａ…第１のリング部材の本体
１ｂ，１ｃ…第１のリング部材の第１および第２締付け片
２…第２のリング部材
２ａ…第２のリング部材の本体
２ｂ，２ｃ…第２のリング部材の第１および第２締付け片
３…ボルト
８…ナット
９，１０…ガイド片
【図１】
2004108415.tif 000003
【図２】
2004108415.tif 000004
【図３】
2004108415.tif 000005
【図４】
2004108415.tif 000006
【図５】
2004108415.tif 000007
【図６】
2004108415.tif 000008